(57)【要約】【課題】走行コース映像機能を有する定位置ランニング装置を、小型で低電力化、安価に実現する。【解決手段】フレーム画像データを記憶する画像データ記憶部２４と、歩数を検知する加速度検出部２５と、加速度検出部２５から出力されるパルス信号から単位時間当たりの歩数を計数する歩行速度算出部２６と、歩行速度算出部２６の計数結果に応じた所定の可変速度で、早めたり遅らせたりして、画像データ記憶部２４からフレーム画像データを読み出す再生制御部２７と、読み出されたフレーム画像データを表示装置３０に表示させる表示制御部２８とを同一チップ内に集積化している。【選択図】図１
2009297310.tif 000002
【特許請求の範囲】
【請求項１】
受信したフレーム画像データを記憶する画像データ記憶部と、
歩数を検知する半導体センサ部と、
該半導体センサ部から出力されるパルス信号から単位時間当たりの歩数を計数する歩数計数部と、
該歩数計数部の計数結果に応じた可変速度で該画像データ記憶部から該フレーム画像データを読み出す再生制御部と、
読み出されたフレーム画像データを表示装置に出力して表示制御する表示制御部とを有する画像データ再生装置。
【請求項２】
前記再生制御部は、
前記歩数計数部の計数結果に応じて、選択的に所定のフレーム画像データを読み飛ばしして読み出し速度を早くしたりまたは、選択的に所定のフレーム画像データを重複して読み出して該読み出し速度を遅くしたりすることにより、前記画像データ記憶部に記憶されたフレーム画像データの読み出し速度を可変制御する請求項１に記載の画像データ再生装置。
【請求項３】
前記読み出し速度は、単位時間当たりの歩数が、該単位時間当たりの基準歩数から増減した増減量に応じて、所定フレーム数のうちの所定割合のフレーム数を読み飛ばしたり重複読み出ししたりすることにより調整可能である請求項２に記載の画像データ再生装置。
【請求項４】
前記再生制御部は、
前記歩数計数部の計数結果が基準歩数／分の場合に、前記画像データ記憶部に保存された全てのフレーム画像データを順次読出し、また、該計数結果が（該基準歩数×１.２）歩／分の場合に、１２フレームに１回１フレームを読み飛ばし、また、該計数結果が（該基準歩数×０.８）歩／分の場合に、８フレーム中の２フレームを重複して読み出すように制御する請求項３に記載の画像データ再生装置。
【請求項５】
前記歩数計数部は、前記パルス信号の単位時間当たりの数を計数することにより前記単位時間当たりの歩数を計数する請求項１に記載の画像データ再生装置。
【請求項６】
前記歩数計数部は、前記パルス信号の周期を計数することにより前記単位時間当たりの歩数を計数する請求項１に記載の画像データ再生装置。
【請求項７】
前記歩数計数部は、１歩当たりの距離に、前記単位時間当たりの歩数を乗算して歩行速度を算出する歩行速度算出部である請求項１に記載の画像データ再生装置。
【請求項８】
前記画像データ記憶部に記憶されるフレーム画像データは、サーバから無線または有線により受信されるかまたは、可読記録媒体から読み出されたデータである請求項１に記載の画像データ再生装置。
【請求項９】
前記半導体センサ部は、歩行に伴う頭部の上下方向の加速度を検出して、予め設定した閾値を出力信号が超えた回数を歩数として検出する加速度検出部である請求項１に記載の画像データ再生装置。
【請求項１０】
前記半導体センサ部は、静電容量式加速度センサである請求項１に記載の画像データ再生装置。
【請求項１１】
前記半導体センサ部は、集積回路と同一の半導体基板上に形成されている請求項１に記載の画像データ再生装置。
【請求項１２】
前記画像データ記憶部はフレームメモリである請求項１に記載の画像データ再生装置。
【請求項１３】
請求項１〜１２のいずれかに記載の画像データ再生装置を同一チップ内に集積した半導体集積回路。
【請求項１４】
請求項１〜１２のいずれかに記載の画像データ再生装置と、該画像データ再生装置で再生した画像データに基づいて表示画面上に画像を表示する表示装置とを有する画像再生装置。
【請求項１５】
請求項１４に記載の画像再生装置が搭載されており、頭部に装着して表示画像を見るためのヘッドマウントディスプレイ装置。
【発明の詳細な説明】
【技術分野】
【０００１】
本発明は、走行または歩行速度に応じて画像の再生速度を可変できる画像再生装置、この画像再生装置の画像データ再生回路、この画像データ再生回路を構成する半導体集積回路および、この画像再生装置または半導体集積回路を搭載したヘッドマウントディスプレイ装置に関する。
【背景技術】
【０００２】
近年、コンピュータグラフィックスにより生成された映像データや、ビデオ装置から入力された映像データを、眼鏡型ディスプレイ装置に入力して表示画面上で観察し、利用者があたかも映像中の仮想空間に存在するかのような現実感を体験できる装置（ヘッドマウントディスプレイ装置）が発売されている。
【０００３】
このヘッドマウントディスプレイ装置は、ゴーグルのような形状を有する表示ユニットが利用者の頭部に装着されて、利用者の両眼の前方の表示画面上に映像が拡大投影される。例えば、特許文献１または特許文献２において開示されている実施例では、利用者はヘッドマウントディスプレイ装置の表示ユニットを装着したまま、両眼の前方の表示画面で映像を鑑賞しながら、操作手段によって、ヘッドマウントディスプレイ装置に接続されたビデオデッキ、ＤＶＤプレイヤなど、ユーザによるインタラクティブな操作が可能な電子機器を容易に操作することができる。
【０００４】
図５は、従来のヘッドマウントディスプレイ装置ＨＭＤの概観を模式的に示す装着状態図である。
【０００５】
図５において、従来のヘッドマウントディスプレイ装置ＨＭＤは、左右２枚の表示画面上に画像を表示する両眼タイプの画像表示装置であり、小型液晶ディスプレイを両眼の前方位置に配置して頭部に装着する。
【０００６】
ところで、定位置でランニングを行うための定位置ランニング装置として、走者が飽きることなくランニングできるように、記録媒体に記録された画像データを、ビデオデッキ、ＤＶＤプレイヤなどの情報再生装置で再生し、これをテレビジョン受像機の表示画面上に表示させる走行コース映像機能を有しているものがある。
【０００７】
図６は、従来の走行コース映像機能を有する定位置ランニング装置の使用状態を模式的に示す側面図である。
【０００８】
図６において、この定位置ランニング装置１は、駆動ベルト２を介してランニングマシンの走行用エンドレスベルト３を駆動させる駆動装置４と、映像を表示画面上に表示する表示装置５と、この駆動装置４の動作速度の選択および、この表示装置５に出力するデータベースの映像情報の選択をする操作パネル６と、操作パネル６に格納された駆動装置４の動作速度の制御を行う制御回路および、駆動装置４の動作速度に連動した映像を表示出力する表示処理を担う表示制御回路を設けた表示制御部７とを有している。これによって、利用者は、走行コースの映像を表示画面上で見ながら、ほぼ定位置で走行動作を行うことができる。
【０００９】
このような走行コース映像機能を有する従来の定位置ランニング装置として、特許文献３〜６に各種開示されている。
【００１０】
特許文献３では、風光明媚な風景を背景とした走行コースをビデオテープに録画しておき、それをビデオテープレコーダで再生してテレビジョン受像機の表示画面上に映出するもので、走者の歩進速度を検出してその速度に応じてビデオテープの再生速度を制御し、走者の速度が速くなれば、それに応じてビデオテープの再生速度を速くし、逆に、走者の速度が遅くなれば、それに応じてビデオテープの再生速度も遅くて表示画面上に画像を映出するタイミングを調整している。
【００１１】
特許文献４では、サーバーに複数のコースに対応した風景画像情報を保存し、端末装置からの制御情報および前進速度情報をサーバーが受信することで、利用者が利用するコースを設定し、そのコースの風景画像情報を利用者の前進速度に対応させてサーバーから端末装置に送信する。これによって、端末装置に風景画像源を備える必要がなく、端末装置を安価に構成でき、端末利用者は家庭などに居ながらにして気軽に種々のコースの風景を選択して楽しみながらトレーニングを行うことができる。
【特許文献１】特開２０００−２３５４４５号公報
【特許文献２】特開２００３−３６０６９号公報
【特許文献３】特開平５−２２０２３７号公報
【特許文献４】特開２００２−２６３２３２号公報
【特許文献５】特開２００４−１２１５９２号公報
【特許文献６】特開２００５−７４２１１号公報
【発明の開示】
【発明が解決しようとする課題】
【００１２】
しかしながら、上記従来の構成では、走行速度を検知する装置として、ランニングマシンが必要である。また、臨場感をもって風景を映し出すためには比較的大画面のテレビジョン受像機が望ましいので、大型で高価なものになるため、家庭で手軽に利用するには適当ではない。
【００１３】
特許文献４では、サーバーから端末装置に風景画像情報を送信する方式は端末装置を小型化するのに便利であるものの、利用者の前進速度に対応させて端末装置からの制御情報および前進速度情報を頻繁にサーバに送信する必要があるので、端末装置からの送信電力が余分に消費される。
【００１４】
本発明は、上記従来の問題を解決するもので、走行コース映像機能を有する定位置ランニング装置の画像再生機能を、小型かつ低コスト、低消費電力で実現できる画像再生装置、この画像再生装置の画像データ再生回路、この画像データ再生回路を構成する半導体集積回路および、この画像再生装置または半導体集積回路を搭載したヘッドマウントディスプレイ装置を提供することを目的とする。
【課題を解決するための手段】
【００１５】
本発明の画像データ再生装置は、受信したフレーム画像データを記憶する画像データ記憶部と、歩数を検知する半導体センサ部と、該半導体センサ部から出力されるパルス信号から単位時間当たりの歩数を計数する歩数計数部と、該歩数計数部の計数結果に応じた可変速度で該画像データ記憶部から該フレーム画像データを読み出す再生制御部と、読み出されたフレーム画像データを表示装置に出力して表示制御する表示制御部とを有するものであり、そのことにより上記目的が達成される。
【００１６】
また、本発明の画像データ再生装置における再生制御部は、前記歩数計数部の計数結果に応じて、選択的に所定のフレーム画像データを読み飛ばしして読み出し速度を早くしたりまたは、選択的に所定のフレーム画像データを重複して読み出して該読み出し速度を遅くしたりすることにより、前記画像データ記憶部に記憶されたフレーム画像データの読み出し速度を可変制御する。
【００１７】
さらに、本発明の画像データ再生装置における読み出し速度は、単位時間当たりの歩数が、該単位時間当たりの基準歩数から増減した増減量に応じて、所定フレーム数のうちの所定割合のフレーム数を読み飛ばしたり重複読み出ししたりすることにより調整可能である。
【００１８】
さらに、本発明の画像データ再生装置における再生制御部は、前記歩数計数部の計数結果が基準歩数／分の場合に、前記画像データ記憶部に保存された全てのフレーム画像データを順次読出し、また、該計数結果が（該基準歩数×１.２）歩／分の場合に、１２フレームに１回１フレームを読み飛ばし、また、該計数結果が（該基準歩数×０.８）歩／分の場合に、８フレーム中の２フレームを重複して読み出すように制御する。
【００１９】
さらに、本発明の画像データ再生装置における歩数計数部は、前記パルス信号の単位時間当たりの数を計数することにより前記単位時間当たりの歩数を計数する。
【００２０】
さらに、本発明の画像データ再生装置における歩数計数部は、前記パルス信号の周期を計数することにより前記単位時間当たりの歩数を計数する。
【００２１】
さらに、本発明の画像データ再生装置における歩数計数部は、１歩当たりの距離に、前記単位時間当たりの歩数を乗算して歩行速度を算出する歩行速度算出部である。
【００２２】
さらに、本発明の画像データ再生装置における画像データ記憶部に記憶されるフレーム画像データは、サーバから無線または有線により受信されるかまたは、可読記録媒体から読み出されたデータである。
【００２３】
さらに、本発明の画像データ再生装置における半導体センサ部は、歩行に伴う頭部の上下方向の加速度を検出して、予め設定した閾値を出力信号が超えた回数を歩数として検出する加速度検出部である。
【００２４】
さらに、本発明の画像データ再生装置における半導体センサ部は、静電容量式加速度センサである。
【００２５】
さらに、本発明の画像データ再生装置における半導体センサ部は、集積回路と同一の半導体基板上に形成されている。
【００２６】
さらに、本発明の画像データ再生装置における画像データ記憶部は一または複数のフレームメモリである。
【００２７】
本発明の画像再生装置は、本発明の上記画像データ再生装置と、該画像データ再生装置で再生した画像データに基づいて表示画面上に画像を表示する表示装置とを有するものであり、そのことにより上記目的が達成される。
【００２８】
本発明の半導体集積回路は、本発明の上記画像データ再生装置を同一チップ内に集積したものであり、そのことにより上記目的が達成される。
【００２９】
本発明のヘッドマウントディスプレイ装置は、本発明の上記画像再生装置が搭載されており、頭部に装着して表示画像を見るためのものであり、そのことにより上記目的が達成される。
【００３０】
例えば、本発明の一例は、ヘッドマウントディスプレイ装置の中に、サーバからワイヤレスで送られてくる画像データを受信する受信部と、この受信部で受けた画像データを記憶する画像データ記憶部と、走行者の歩数を検知するための半導体センサ部と、この半導体センサ部から出力される単位時間当たりのパルス信号を計数する歩数計数部と、この歩数計数部からの出力に応じて、所定の可変速度で画像データ記憶部からフレーム画像データを読み出す再生制御部と、この読み出されたフレーム画像データを表示装置に表示するための表示制御部とを１チップに集積した半導体集積回路（画像データ再生装置）や、これに表示装置を加えた画像再生装置を搭載するものである。
【００３１】
上記構成により、以下、本発明の作用を説明する。
【００３２】
本発明においては、歩数を検知する半導体センサ部と、フレーム画像データを記憶する画像データ記憶部と、半導体センサ部から出力されるパルス信号から単位時間当たりの歩数を計数する歩数計数部と、この歩数計数部の計数結果に応じた所定の可変速度で画像データ記憶部からフレーム画像データを読み出す再生制御部と、読み出されたフレーム画像データを表示装置に表示する表示制御部とを同一チップ内に集積している。
【００３３】
これにより、画像データ記憶部からのフレーム画像データの読み出し速度を歩行速度（または走行速度）に応じて早めたり遅らせたり調整可能であるので、走行コース映像機能を有する定位置ランニング装置を、小型で安価に実現する半導体集積回路を提供することができる。また、走行コース映像機能を有する定位置ランニング装置を、低消費電力で実現することができる。
【００３４】
また、本発明においては、本発明のヘッドマウントディスプレイ装置は、本発明の半導体集積回路（画像データ再生装置）を搭載している。これによって、走行コース映像機能を有する定位置ランニング装置を、小型で安価に実現するヘッドマウントディスプレイ装置を提供することができる。走行コース映像機能を有する定位置ランニング装置を、低消費電力で実現するヘッドマウントディスプレイ装置を提供することができる。
【発明の効果】
【００３５】
以上により、本発明によれば、画像データ記憶部からのフレーム画像データの読み出し速度を歩行速度（または走行速度）に応じて早めたり遅らせたり調整可能であるため、走行コース映像機能を有する定位置ランニング装置を、小型かつ低コスト、低消費電力で実現することができる。
【発明を実施するための最良の形態】
【００３６】
以下に、本発明の画像再生装置およびこれを搭載したヘッドマウントディスプレイ装置に適用した場合について図面を参照しながら説明する。
【００３７】
図１は、本発明のヘッドマウントディスプレイ装置に内蔵される画像再生装置の要部構成例を模式的に示すブロック図である。
【００３８】
本実施形態の画像再生装置４０は、画像情報を受信するためのアンテナ１０と、アンテナ１０を介して受信した画像データを再生する画像データ再生装置としての画像データ再生回路を構成する半導体集積回路２０と、画像データ再生回路を構成する半導体集積回路２０で再生された画像データに基づいて表示画面上に画像を表示する表示装置３０とを有している。
【００３９】
アンテナ１０は、サーバから無線送信されるＭＰＥＧ２方式で圧縮符号化された動画像データ変調信号を電気信号に変換する。
【００４０】
半導体集積回路２０は、受信部２１と、ＭＰＥＧ復号部２２と、画像信号生成部２３と、画像データ記憶部２４と、加速度検出部２５と、歩行速度算出部２６と、再生制御部２７と、表示制御部２８とが同一半導体チップ内に集積されて画像データ再生回路を構成している。
【００４１】
受信部２１は、アンテナ１０で電気信号に変換された動画像データ変調信号をビットストリーム信号に復調する。
【００４２】
ＭＰＥＧ復号部２２は、受信部２１で復調されたビットストリーム信号を逐次復号化する。
【００４３】
画像信号生成部２３は、ＭＰＥＧ復号部２２で復号化されたビットストリーム信号から動画像データを復元する。
【００４４】
画像データ記憶部２４は、１フレームの画像データを記憶するフレームメモリであって、画像信号生成部２３で復元された動画像データをフレーム毎にフレーム画像データとして記憶する。
【００４５】
加速度検出部２５は、半導体センサ部で構成されており、歩行に伴う頭部の上下方向の加速度を検出して、予め設定しておいた閾値を出力信号が超えた回数を歩数として検出する。
【００４６】
走行速度算出部２６は、加速度検出部２５で検出した歩数に基づいて、単位時間当たりの歩数データを算出し、単位時間当たりの歩数データに対して１歩当たりの距離を乗算して歩行速度を算出する。
【００４７】
再生制御部２７は、歩行速度算出部２６からの単位時間当たりの歩数データから得た走行速度に応じて、画像データ記憶部２４に記憶されたフレーム画像データの読み出し速度を可変して読み出し、読み出したフレーム画像データを表示制御部２８に出力する。
【００４８】
なお、走行速度の代わりに、歩行速度算出部２６からの単位時間当たりの歩数データに応じて、画像データ記憶部２４に記憶されたフレーム画像データの読み出し速度を可変して読み出し、読み出したフレーム画像データを表示制御部２８に出力するようにしてもよい。
【００４９】
表示制御部２８は、再生制御部２７からのフレーム画像データをＤ／Ａ変換して、フレーム周期に同期させて表示装置３０に出力する。
【００５０】
表示装置３０は、後述するヘッドマウントディスプレイ装置に搭載された例えば小型液晶ディスプレイなどである。
【００５１】
なお、本実施形態の加速度検出部２８は、歩数を検出する歩数検出部である本発明の半導体センサ部の一例であり、本実施形態の歩行速度算出部２６は、本発明の歩数計数部の一例である。
【００５２】
上記構成により、以下、本実施形態の画像再生装置４０の動作を説明する。
【００５３】
まず、サーバから無線送信されるＭＰＥＧ２方式で圧縮符号化された動画像データ変調信号はアンテナ１０で受信され、電気信号に変換される。
【００５４】
次に、アンテナ１０で受信された電気信号は受信部１２に入力され、この電気信号から動画像データ変調信号を復調し、復調されたビットストリーム信号（例えばＭＰＥＧ２トランスポートストリーム）をＭＰＥＧ復号部２２に出力する。
【００５５】
続いて、ＭＰＥＧ復号部２２では、受信部２１で復調されたビットストリーム信号を、逐次復号化し、画像信号生成部２３により、復号化されたビットストリーム信号（例えばエレメンタリストリーム）を動画像データに復元する。この復元された動画像データをフレーム毎に、画像データ記憶部２４に記憶する。
【００５６】
一方、加速度検出部２５により、歩行に伴う頭部の上下方向加速度を検出して、予め設定しておいた閾値を出力信号が超えた回数を歩数として検出し、加速度検出部２５で検出した歩数に基づいて、走行速度算出部２６により、単位時間当たりの歩数データを算出し、単位時間当たりの歩数データから走行速度を算出する。さらに、歩行速度算出部２６からの単位時間当たりの歩数データまたは走行速度に応じて、再生制御部２７により、選択的に所定のフレーム画像データを読み飛ばしして読み出し速度を早く（早送り）したりまたは、選択的に所定のフレーム画像データを重複して読み出して該読み出し速度を遅く（遅送り）したりすることにより、画像データ記憶部２４に記憶されたフレーム画像データの読み出し速度を可変制御する。この場合のフレーム画像データの読み出し速度は、基準歩数データからの増減量に応じて、所定フレーム数のうちの所定割合のフレーム数を読み飛ばしたり重複読み出しをしたりすることにより、調整可能である。
【００５７】
例えば、歩行速度算出部２６からの単位時間当たりの歩数データが標準的な１００歩／分の場合、再生制御部２７は、画像記憶部２４に保存された全てのフレームを順次読出す。また、歩行速度算出部２６からの単位時間当たりの歩数データが１２０歩／分に速まっていれば、再生制御部２７は、１２フレームに１回１フレームを読み飛ばして読み出す。また、歩行速度算出部２６からの単位時間当たりの歩数データが８０歩／分に遅くなれば、再生制御部２７は、８フレーム中の２フレームを重複して読み出す。再生制御部２７は、このようにして、画像データ記憶部２４から読み出したフレーム画像データを表示制御部２８に出力する。
【００５８】
要するに、再生制御部２７は、歩数計数部である歩行速度算出部２６の計数結果が所定歩数／分の場合に、画像データ記憶部２４に保存された全てのフレーム画像データを順次読出し、また、その計数結果が（所定歩数×１.２）歩／分の場合に、１２フレームに１回１フレームを読み飛ばし、また、該計数結果が（該所定歩数×０.８）歩／分の場合に、８フレーム中の２フレームを重複して読み出すように制御している。
【００５９】
さらに、表示制御部２８において、画像記憶部２４から出力されてきたフレームデータをＤ／Ａ変換して、フレーム周期に同期させて表示装置３０に出力する。
【００６０】
ここで、加速度検出部２５の動作についてさらに詳細に説明する。
【００６１】
図２は、図１の加速度信号検出部２５の動作を説明するための加速度信号波形図である。なお、横軸は時間、縦軸は加速度検出部２５で検出される加速度である。
【００６２】
図２において、加速度信号波形と閾値（基準レベル）Ｐとの交点位置が、検出された歩行を表している。加速度信号波形の周期はＴである。したがって、単位時間Ｍ（分）当たりの歩数はＭ／Ｔとなり、この値が前述したように歩行速度算出部２６から出力される歩数データである。
【００６３】
なお、本実施形態では、歩行速度算出部２６は、単位時間Ｍ（分）当たりの周期Ｔをカウントするものとして説明したが、これに限らず、歩行速度算出部２６は、単位時間Ｍ（分）当たりのパルス数をカウントする。これにより、歩数（歩／分）を計数することもできる。さらに、単位時間Ｍ（分）当たりの歩数に、予め入力した歩幅（１歩の距離）を乗じることにより、単位時間Ｍ（分）当たりの歩行距離（歩行速度）を算出し、歩行速度算出部２６から算出した歩行距離を出力しても構わない。
【００６４】
なお、本実施形態の画像データ受信再生回路を構成する半導体集積回路２０は、前述したように、画像データ記憶部２４からのフレーム画像データの読み出し速度を歩行速度に応じて早めたり遅らせたり調整可能であるので、従来のように、走行者の歩数情報またはヘッドマウントディスプレイ装置からの制御情報を、頻繁にサーバに送信する必要がなく、サーバから一定の速度で画像情報（画像データ）を受信すればいいので、ヘッドマウントディスプレイ装置からの送信電力が極力低減でき、より小型化できる。
【００６５】
加速度を検出するための加速度センサは、ここでは加速度検出部２５であるが、シリコン基板の表面上にポリシリコン（多結晶Ｓｉ）層からなる２つのビーム（梁）をそれぞれコンデンサの両電極として形成し、ビーム間の距離の変動を静電容量値として検出する静電容量式加速度センサーが発売されている。静電容量式加速度センサーを製造するときに使われる技術は、ＭＥＭＳ（Ｍｉｃｒｏ  Ｅｌｅｃｔｒｏ−Ｍｅｃｈａｎｉｃａｌ  Ｓｙｓｔｅｍ）技術または表面マイクロマシーニング技術と呼ばれ、不純物の拡散、酸化膜の成長、エッチング、蒸着など、半導体チップの製造に普通に用いられる手法であるので、画像データ再生回路（画像データ受信再生回路の他、受信しない場合も含む）を構成する半導体集積回路２０などの集積回路と同一の半導体基板上に形成することができる。
【００６６】
図３は、加速度センサとトランジスタ回路とを同一の半導体基板上に形成した場合の要部縦断面図である。
【００６７】
図３において、トランジスタ６０と加速度センサー６１のビームは、それぞれ同一のシリコン基板６２上に形成される。シリコン基板６２上に形成されたＮ＋拡散層６３は、トランジスタ６０のドレイン領域およびソース領域を形成している。Ｎ＋拡散層６４は、加速度センサー６１のビームを支える支柱のコンタクト窓となる層であって、各Ｎ＋拡散層６３と同一の工程で形成される。トランジスタ６０の酸化絶縁膜層６６および、ゲート６７となるポリシリコン層は、トランジスタ６０のドレイン領域とソース領域との間上にそれぞれ形成されている。加速度センサー６１のビーム６８は、ポリシリコン層で構成されており、酸化絶縁膜層６６と同一の工程で形成される犠牲酸化膜層６５を犠牲層ドライエッチングによって除去することによって、シリコン基板６２から浮かせて可動化させ、加速度を検知することができるようになっている。
【００６８】
図４は、両眼タイプのヘッドマウントディスプレイ装置を頭部に装着して、表示部に映し出された風景画像を楽しみながら定位置で歩行する状況を模式的に示す装置装着図である。
【００６９】
図４において、ヘッドマウントディスプレイ装置５０の内部に本実施形態の画像データ再生装置を構成する半導体集積回路２０が格納されている。
【００７０】
これによって、走行コース映像機能を有する定位置ランニング装置を、小型でしかも低消費電力で安価に実現することができる。
【００７１】
したがって、本実施形態によれば、フレーム画像データを記憶する画像データ記憶部２４と、歩数を検知する加速度検出部２５と、加速度検出部２５から出力されるパルス信号から単位時間当たりの歩数を計数する歩行速度算出部２６と、歩行速度算出部２６の計数結果に応じた所定の可変速度で、早めたり遅らせたりして、画像データ記憶部２４からフレーム画像データを読み出す再生制御部２７と、読み出されたフレーム画像データを表示装置３０に表示させる表示制御部２８とを同一チップ内に集積化している。このように、画像データ記憶部２４からのフレーム画像データの読み出し速度を歩行速度（または走行速度）に応じて早めたり遅らせたり調整可能であるため、走行コース映像機能を有する定位置ランニング装置を、小型かつ低コスト、低消費電力で実現することができる。
【００７２】
なお、本実施形態では、画像データ再生装置を構成する半導体集積回路２０は、受信部２１、ＭＰＥＧ復号部２２、画像信号生成部２３、画像データ記憶部２４、加速度検出部２５、歩行速度算出部２６、再生制御部２７および表示制御部２８が、同一チップ内に集積されて構成されている場合について説明したが、これに限らない。
【００７３】
この画像データ再生装置を構成する半導体集積回路２０が、画像データ記憶部２４、加速度検出部２５、歩行速度算出部２６、再生制御部２７および表示制御部２８が、同一チップ内に集積されることにより構成されていても構わない。
【００７４】
この場合、これ以外の受信部２１、ＭＰＥＧ復号部２２および画像信号生成部２３が、画像データ再生装置を構成する半導体集積回路２０とは別の半導体集積回路に設けられ、この別の半導体集積回路から半導体集積回路２０に画像データが入力されるようにしていてもよい。
【００７５】
なお、画像データ記憶部２４に記憶されるフレーム画像データは、サーバから無線により受信される他に、離れたサーバから有線を介して受信されるかまたは、他の記憶装置や半導体メモリなどの可読記録媒体から読み出されるデータであってもよい。
【００７６】
さらに、本実施形態では、サーバから無線送信される動画像データがＭＰＥＧ２方式で圧縮符号化されているとして説明したが、これに限らず、ＭＰＥＧ４方式など他の圧縮符号化方式で圧縮符号化されていてもよい。
【００７７】
さらに、本実施形態では、復調されたビットストリーム信号が、例えばＭＰＥＧ２トランスポートストリームであるとして説明したが、これに限らない。復調されたビットストリーム信号が、ＭＰＥＧ２プログラムストリームであってもよいし、その他のビットストリーム信号であってもよい。
【００７８】
さらに、本実施形態では、復号化されたビットストリーム信号が、例えばエレメンタリストリームであるとして説明したが、これに限るものではない。
【００７９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８０】
本発明は、走行または歩行速度に応じて画像の再生速度を可変できる画像再生装置、この画像再生装置の画像データ再生回路を構成する半導体集積回路および、この画像再生装置または半導体集積回路を搭載したヘッドマウントディスプレイ装置の分野において、画像データ記憶部からのフレーム画像データの読み出し速度を歩行速度（または走行速度）に応じて早めたり遅らせたり調整可能であるため、走行コース映像機能を有する定位置ランニング装置の画像再生機能を、小型かつ低コスト、低消費電力で実現できる。
【図面の簡単な説明】
【００８１】
【図１】本発明のヘッドマウントディスプレイ装置に内蔵される画像再生装置の要部構成例を模式的に示すブロック図である。
【図２】図１の加速度信号検出部２５の動作を説明するための加速度信号波形図である。なお、横軸は時間、縦軸は加速度検出部２５で検出される加速度である。
【図３】加速度センサとトランジスタ回路とを同一の半導体基板上に形成した場合の要部縦断面図である。
【図４】両眼タイプのヘッドマウントディスプレイ装置を頭部に装着して、表示部に映し出された風景画像を楽しみながら定位置で歩行する状況を模式的に示す装置装着図である。
【図５】従来のヘッドマウントディスプレイ装置ＨＭＤの概観を模式的に示す装着状態図である。
【図６】従来の走行コース映像機能を有する定位置ランニング装置の使用状態を模式的に示す側図図である。
【符号の説明】
【００８２】
１０  アンテナ
２０  半導体集積回路（画像データ再生回路）
２１  受信部
２２  ＭＰＥＧ復号部
２３  画像信号生成部
２４  画像データ記憶部
２７  再生制御部
２６  歩行速度算出部
２５  加速度検出部
２８  表示制御部
３０  表示装置
４０  画像再生装置
５０  ヘッドマウントディスプレイ装置
６０  トランジスタ
６１  加速度センサ
６２  シリコン基板
６３、６４  Ｎ＋拡散層
６５  犠牲酸化膜層
６６  酸化絶縁膜層
６７  ゲート
６８  ビーム
【図１】
2009297310.tif 000003
【図２】
2009297310.tif 000004
【図３】
2009297310.tif 000005
【図４】
2009297310.tif 000006
【図５】
2009297310.tif 000007
【図６】
2009297310.tif 000008